(57)【要約】      （修正有）【課題】麻袋の中の吸水ポリマーが空気中の湿気を吸わず、暗所でも所在が容易にわかる土のうを提供する。【解決手段】土のう全体１にポリエチレンとナイロンを張り合わせた二重構造の袋で真空パック３を施し、真空パックの表面と土のうを収納している外箱に高感度の畜光テープ６を貼付することを特徴とする。【選択図】図１
0003150748.tif 000002
【実用新案登録請求の範囲】
【請求項１】
吸水性ポリマー（高吸水性樹脂）を内包した天然麻袋の四隅に、麻ひもを取り付けるとともに、天然麻袋の表面全体を真空パックし、その真空パックの表面に蓄光テープを貼付してなる土のう。
【請求項２】
前記天然麻袋の表面全体を真空パックする袋は、ポリオレフィンとナイロンを張り合わせた二重構造の袋であることを特徴とする、請求項１に記載の土のう。
【請求項３】
前記真空パックの表面には、蓄光性をなす表示部を設け、高輝度の蓄光テープを貼付することを特徴とする、請求項１又は請求項２に記載の土のう。
【請求項４】
前記天然麻袋の四隅に取り付ける麻ひもは、ガンニタイプの麻ひもを３〜４本撚り合わせたものであることを特徴とする、請求項１又は請求項２又は請求項３に記載の土のう。
【考案の詳細な説明】
【技術分野】
【０００１】  本考案は、吸水性ポリマー（高吸水性樹脂）を内包する天然麻袋の四隅にガンニタイプの麻ひもを取り付け、この麻袋の表面全体をポリオレフィン（ポリエチレン）とナイロンを張り合わせた二重構造の袋で真空パックした土のうである。さらに真空パックの袋の表面とこの土のうを収納する外箱に蓄光性をなす表示部を設け、高輝度の蓄光テープを貼付している。
【背景技術】
【０００２】  従来、空気中の湿気により吸水性ポリマーが凝固するのを防ぐため、ビニール袋やポリプロピレン袋に入れてパックしていたが、空気を完全に遮断することは不可能であった。
また、土のうの存在場所が暗い場所では容易に見つけることができなかった。蛍光塗料を施した場合は、光源（光のみなもと）となるものが必要であった。
さらに、使用時積み上げた土のうには、滑りやすいという欠陥があった。
【考案の開示】
【考案が解決しようとする課題】
【０００３】  本考案の土のうは、麻袋の中に吸水後膨張する吸水ポリマーを入れて膨張させるが、この吸水性ポリマーは空気中の湿気を吸うと凝固する性質がある。固まれば、水をかけても膨張せず、いざ使用する際にもその機能を発揮できない。
また、停電、地震など緊急時、暗い場所では、浸水防止のため備蓄している土のうがどこにあるのかその所在が容易にわからない。
さらに、使用時積み上げた土のうには、滑りやすいという欠陥がある。これらの問題を解決して浸水防止に即応できる土のうを開発しようとするものである。
【課題を解決するための手段】
【０００４】  本考案の土のうは、従来ビニール袋やポリプロピレン袋にこの吸水性ポリマーを内包した土のうを入れてパックしていたが、空気を完全に遮断することが不可能であり、時間の経過とともに中に入っている吸水性ポリマーが固くなり、通常１年でいざという緊急時に使用できなくなるケースが生じる。この課題を解決するため、空気を完全に遮断し、空気中の湿気を完全に防ぐ手段として土のう全体に真空パックを施す。真空パックにはポリエチレンとナイロンを張り合わせた二重構造の袋を使用する。
また、本考案は、暗い場所でも土のうの置き場所が容易にわかるよう、真空パックをする袋の表面と土のうを収納した外箱にそれぞれ蓄光性をなす表示部を設け、高輝度の蓄光テープを貼付する。
さらに、本考案は、積み上げた土のうを滑りにくくするため、土のうの四隅に強度の優れたガンニタイプの麻ひもを３〜４本づつ撚り合わせて取り付け、土のう同士を結び易くする。以上の考案からなる土のうである。
【考案の効果】
【０００５】  本考案の真空パックを施すことにより、空気を完全に遮断し、湿気を完全に防ぎ、内包する吸水性ポリマーが凝固することなく、少なくとも５年間品質保持が可能になる。またこれにより海外への輸出もより容易になると考えられる。
また本考案の、高輝度の蓄光テープを真空パックの表面と外箱に貼付することによって、暗い場所でも所在が容易にわかり、緊急時の浸水防止に即応が可能になる。
さらに、本考案の、土のう本体の四隅にガンニタイプの麻ひもを取り付けて土のう同士を結びつけることにより、積み上げた土のうが滑りにくくなり、より防水効果が高まる。
これらの考案を施すことにより、地下街やマンホール内、機械室内等の溜り水をポンプなどを使用せずに吸いとることができ、浸水防止に効果を発揮する。
【考案を実施するための最良の形態】
【０００６】  本考案の土のう本体は、外袋（麻袋）の内側に、吸水性ポリマー（アクリル酸塩系の高吸水性樹脂）が複数個内包されている。吸水後極めて短時間（水温２１℃の場合３〜４分）で膨張する土のうであるが、従来のビニール袋やポリプロピレン袋では空気を完全に遮断し、湿気を防ぐことが不可能である。本考案の真空パックに使用する袋は、ポリオレフィン（ポリエチレン）とナイロンを張り合わせた二重構造の袋で、この袋から空気を脱気するとともにシーリングを施して空気を完全に遮断し、５年以上の品質保持が可能になる。【０００７】  また真空パックの袋の表面には蓄光性をなす表示部を設け、緊急時の暗やみの中でも所在がわかるように、高輝度の蓄光テープを貼付している。蛍光塗料では光源が必要であるが、蓄光テープは昼光や電灯などのエネルギーを吸収して一時的に蓄え、これを徐々に放出して発光する。高輝度蓄光テープはこの能力を通常の蓄光テープの数十倍にまで高めたものである。【０００８】  また本考案の土のうの麻袋の四隅には、長さ１５ｃｍ〜２０ｃｍの強度の優れたガンニタイプの麻ひも（黄麻）を３〜４本撚り合わせたものを取り付け、土のうを積み上げたとき互いに結び付けることにより、滑りにくくしている。【０００９】  本考案品を所定場所に輸送したり、保管するため外箱が必要になる。実際に使用する際は、真空パックされた土のうをダンボール製の外箱に入れる。この外箱にも緊急時の暗やみのなかでもその所在をわかりやすくするため、蓄光性の表示部を設け、高輝度の蓄光テープを貼付している。
【実施例】
【００１０】  本考案の土のうを実際使用する時には、外箱から真空パックされた土のうを取り出し、ハサミ等で真空パックを切り開き、水をかけて膨張させることによって浸水防止に即応できる。
この麻袋は１００％天然植物素材であるため、土のうとして使用後、乾燥させ処理する際、焼却しても有害物は一切出ない。内包の吸水性ポリマーは、紫外線によりポリアクリル酸ソーダに分解、風化するため環境に優しく、産業廃棄物としての処理も不必要となる。
【産業上の利用可能性】
【００１１】  近年、激増している局地的なゲリラ豪雨によってもたらされる都市型水害への対応策として極めて有効である。例えば大阪心斎橋の地下街「クリスタ長堀」１階出入口から地階各店舗への浸水防止対策、神戸市営地下鉄海岸線工事の湧き水による浸水対策、神戸市環境局の家屋床下浸水対策  など多数の利用例がある。
また全国各地の商業ビルは地階が駐車場になっている例が多い。これらのビルはいずれも局地的な豪雨による浸水対策に悩まされている場合が多く、本考案の土のうの極めて有望な市場である。首都圏など坂道の多い地区では半地下式の駐車場が多いが、各自治体では突発的な水害に対する防水対策を急いでおり、本考案の土のうの出番は年々増加するものと予想している。
【図面の簡単な説明】
【００１２】
【図１】  土のう本体に真空パックをしてなる本考案品の斜視図。
【図２】  土のう本体に真空パックをしてなる本考案品の断面図。
【図３】  外箱（ダンボール）の斜視図
【符号の説明】
【００１３】（１）  吸水性ポリマー（高吸水性樹脂）内包の土のう本体（外袋は麻袋）
（２）  麻袋の四隅にガンニタイプの麻ひもを３〜４本づつ撚り合わせて取り付ける
（３）  真空パックに使用するポリエチレンにナイロンを張り合わせた二重構造の袋
（４）  吸水後膨張する吸水性ポリマー
（５）  土のうの外袋（麻袋）
（６）  真空パックの袋と外箱（ダンボール製）に高輝度蓄光テープを貼付する
（７）  本考案の土のうを入れる外箱
【図１】
0003150748.tif 000003
【図２】
0003150748.tif 000004
【図３】
0003150748.tif 000005
【手続補正書】
【提出日】平成21年2月19日(2009.2.19)
【手続補正１】
【補正対象書類名】実用新案登録請求の範囲
【補正対象項目名】全文
【補正方法】変更
【補正の内容】
【実用新案登録請求の範囲】
【請求項１】
吸水性ポリマー（高吸水性樹脂）を内包した天然麻袋の四隅に、麻ひもを取り付けるとともに、天然麻袋の表面全体を真空パックし、その真空パックの表面に蓄光テープを貼付してなる土のう。
【請求項２】
前記天然麻袋を真空パックする袋は、ポリオレフィンとナイロンを張り合わせた二重構造の袋であることを特徴とする、請求項１に記載の土のう。
【請求項３】
前記真空パックの表面には、蓄光性をなす表示部を設け、高輝度の蓄光テープを貼付することを特徴とする、請求項１又は請求項２に記載の土のう。